(57)【要約】【課題】部品点数を増やすことなく液晶表示器と基板を配置する配置面をソリの無い平面に成形することができ、液晶表示器や基板をソリの影響から守ることが可能な携帯電子機器の筐体構造を提供する。【解決手段】カバー１、ケース２、基板３、液晶ディスプレイ４、液晶パネル５により構成された携帯電子機器においてカバー１には液晶ディスプレイ４を収納するための凹部１−１が形成され、さらに、カバー１の凹部１−１の底面１−２裏には、凹部１−１の側壁１−３が垂直方向に延長されるようにリブ１−４が形成されている。リブ１−４は凹部１−１の全長方向に分断されることなく形成され、また、リブ１−４の高さはケース２底面に当接するように形成されている。【選択図】図１
2007249127.tif 000002
【特許請求の範囲】
【請求項１】
カバーとケース間にユニットを内蔵する携帯電子機器の筐体構造において、カバーに液晶表示器を収納する凹部と、前記凹部にリブを形成したことを特徴とする携帯電子機器の筐体構造。
【請求項２】
前記リブが前記凹部の底面に取り付けられる基板の外周に形成され、さらに前記基板の全長方向に分断されることなく形成されたことを特徴とする携帯電子機器の筐体構造。
【発明の詳細な説明】
【技術分野】
【０００１】
本発明は、携帯通信機器や携帯情報端末装置などの携帯電子機器などに用いる筐体構造に関する。
【背景技術】
【０００２】
従来、携帯電子機器に使用する筐体構造として、アッパーカバーとロアカバーの間に軽金属合金や炭素繊維強化樹脂等で形成されたH字型のフレームを介在させ、このフレームの両底面に緩衝材を取付けた液晶ディスプレイパネルと回路基板を収納するように構成されたものが知られている。（例えば、特許文献１参照）
この携帯電子機器の筐体構造によれば、落下などの衝撃をフレームに伝えることで筐体の変形を抑制し、緩衝材を取付けることでフレームを伝わる衝撃が液晶ディスプレイパネルや回路基板に伝達されることを防ぐことができる。
【特許文献１】特開２００３−５１６８１号公報（第３頁、第１図）
【発明の開示】
【発明が解決しようとする課題】
【０００３】
しかしながら、特許文献１記載の携帯電子機器の筐体構造は、H字型フレームを樹脂にて形成した場合、その成形時に樹脂内部に残留応力が発生し、ソリが大きく発生することがある。そのため、このソリの影響により機器組み立て時に、液晶ディスプレイパネルや回路基板に初期状態で引っ張りや圧縮の曲げ応力が負荷され、液晶ディスプレイパネルや回路基板が破損してしまうという問題があった。また、携帯電子機器においては、近年薄型化が進んでおり、機器を構成する部材の平均肉厚も薄く構成されているため、ソリの影響が顕著に見られる。さらに、樹脂成形品はそれ自体が成形される際に、内部に残留応力が発生する。この状態で高温状況下に放置された場合、熱エネルギーの影響により残留応力が解放され、成形品のソリが増長される。これにより高温環境下では特に液晶ディスプレイパネルや回路基板の破損が起こるという課題があった。
【０００４】
本発明は、このような従来の問題を解決するためになされたものであり、携帯電子機器を構成する筐体において、薄型を損なわずにソリを低減させ、さらに部品点数を増やすことなく実現することができる携帯電子機器の筐体構造を提供することを目的とするものである。
【課題を解決するための手段】
【０００５】
本発明の携帯電子機器の筐体構造は、カバーとケース間にユニットを内蔵する携帯電子機器の筐体構造において、カバーに液晶表示器を収納する凹部と、前記凹部にリブを形成したされた構成を有する。
【０００６】
また、本発明の携帯電子機器の筐体構造は、前記リブが前記凹部の底面に取り付けられる基板の外周に形成され、さらに前記基板の全長方向に分断されることなく形成された構成を有する。
【０００７】
この構成により、部品点数を増やすことなく液晶表示器と基板を配置する配置面をソリの無い平面に成形することができ、液晶表示器や基板をソリの影響から守ることができる。また、カバー単体の強度を増す働きもあるため、外力による変形に対しても強度が増し、液晶表示器や基板の破損を防ぐことができる。さらに、電子機器の側面から基板までの沿面距離が増加するため、機器側面のスキマ等から進入する静電気や埃等が基板に到達することを防ぐことができる。
【発明の効果】
【０００８】
本発明は、カバーとケース間にユニットを内蔵する携帯電子機器の筐体構造において、カバーに液晶表示器を収納する凹部と、前記凹部にリブを形成したものであり、部品点数を増やすことなく液晶表示器と基板を配置する配置面をソリの無い平面に成形することができ、液晶表示器や基板をソリの影響から守ることができる。また、カバー単体の強度を増す働きもあるため、外力による変形に対しても強度が増し、液晶表示器や基板の破損を防ぐことができる。さらに、電子機器の側面から基板までの沿面距離が増加するため、機器側面のスキマ等から進入する静電気や埃等が基板に到達することを防ぐことができる。
【発明を実施するための最良の形態】
【０００９】
以下、本発明の実施の形態について図面を用いて説明する。
【００１０】
（第１の実施の形態）
図１は、本発明の第１の実施の形態における携帯電子機器の分解斜視図あり、図２は、部品（ケース）単体の斜視図である。
【００１１】
本発明の第１の実施の形態における携帯電子機器は、図1および図２に示すようにカバー１、ケース２、基板３、液晶ディスプレイ４、液晶パネル５により構成されている。また、カバー１には液晶ディスプレイ４を収納するための凹部１−１が形成されている。
【００１２】
さらに、カバー１の凹部１−１の底面１−２裏には、凹部１−１の側壁１−３が垂直方向に延長されるようにリブ１−４が形成されている。リブ１−４は凹部１−１の全長方向に分断されることなく形成され、また、リブ１−４の高さはケース２底面に当接するように形成されている。カバー１は、凹部１−１にリブ１−４が形成されることにより凹部１−１の底面１−２に樹脂を充填する際に、樹脂の流れがリブ１−４を添う形で充填されるため、急激な肉厚の変化によっても液晶ディスプレイ４と基板３の配置面である底面１−２に発生する内部応力が低減される。
【００１３】
次に、本実施の形態における携帯電子機器について、組み立て方法を、図３を用いて詳細に説明する。
【００１４】
図３は、本実施の形態における携帯電子機器の断面図である。
【００１５】
図３に示すように、液晶ディスプレイ４はカバー１に形成された凹部１−１内部に収納され、基板３は凹部１−１の底面１−２裏とリブ１−４によって構成されるコ字形状の内部に収納される。その後、液晶ディスプレイ４は液晶パネル５をカバー１に貼付けることで密閉され、固定される。基板３はカバー１に取付けられた後、ケース２とカバー１をネジなどにより、とも締め固定することで基板３の垂直方向の移動も固定される。
【００１６】
このように、本実施の形態における携帯電子機器の筐体構造によれば、カバー１に形成された凹部１−１とリブ１−４と、さらにカバー１の側壁を合わせたW字形状の効果により、薄型でありながらカバー１の凹部１−１の底面１−２に発生するソリを抑制することができる。さらにカバー１の単品強度も増加するため、組立て時の液晶ディスプレイ４と基板３の変形が抑制され、機器使用時の液晶ディスプレイ４の破損や基板３に実装されている電気部品の剥離を防ぐことができる。また、基板３の側面に沿ってリブ１−４が分断されることなく形成されているため、カバー１とケース２の合わせ部から基板３までの幅方向距離（沿面距離）を従来形状よりも長く確保することができる。そのため、合わせ部から進入する静電気や埃による基板３の破損を防ぐことができる。
【産業上の利用可能性】
【００１７】
本発明は、本発明の携帯電子機器の筐体構造は、カバーとケース間にユニットを内蔵する携帯電子機器の筐体構造において、カバーに液晶表示器を収納する凹部と、前記凹部にリブを形成した構成を有し、前記リブが前記凹部の下面に取り付けられる基板の外周に形成され、さらに前記基板の全長方向に分断されることなく形成されたものであり、部品点数を増やすことなく液晶表示器と基板を配置する配置面をソリの無い平面に成形することができ、液晶表示器や基板をソリの影響から守ることができる。また、カバー単体の強度を増す働きもあるため、外力による変形に対しても強度が増し、液晶表示器や基板の破損を防ぐことができる。さらに、電子機器の側面から基板までの沿面距離が増加するため、機器側面のスキマ等から進入する静電気や埃等が基板に到達することを防ぐことができる。
【図面の簡単な説明】
【００１８】
【図１】本発明の第１の実施の形態における携帯電子機器の分解斜視図
【図２】本発明の第１の実施の形態における部品（ケース）単体の斜視図
【図３】本実施の形態における携帯電子機器の断面図
【符号の説明】
【００１９】
１    カバー
２    ケース
３    基板
４    液晶ディスプレイ
５    液晶パネル
１−１    凹部
１−２    底面
１−３    側壁
１−４    リブ
【図１】
2007249127.tif 000003
【図２】
2007249127.tif 000004
【図３】
2007249127.tif 000005